(57)【要約】【課題】開閉可能な電装部を備えた画像形成装置において、部品点数を低減する。【解決手段】電装部５０から装置本体１２へ配線された電線５４が、電装部５０を開く方向に押圧し、電装部５０の開状態を保持するように構成する。これにより、電装部５０の開状態を保持するために、別途、保持部材を設ける必要がなく、構成部品の部品点数を低減できる。【選択図】図２
2007114273.tif 000002
【特許請求の範囲】
【請求項１】
装置本体に対して開閉可能に支持され、電気部品を収容する電装部と、
前記電装部から前記装置本体へ配線された電線と、
を備えた画像形成装置において、
前記電装部の開状態は、前記電線の形状復元力によって保持されることを特徴とする画像形成装置。
【請求項２】
前記電線は、前記装置本体から前記電装部に向かって螺旋状に捻られ、伸長して前記電装部を開く方向へ押圧することを特徴とする請求項１に記載の画像形成装置。
【請求項３】
前記電線は、螺旋状に捻られ、捻じり戻りで前記電装部を開く方向へ付勢することを特徴とする請求項１に記載の画像形成装置。
【請求項４】
前記電線は、螺旋状に捻られ、前記電装部の開状態で前記装置本体と前記電装部との間に挟持されることを特徴とする請求項１に記載の画像形成装置。
【請求項５】
前記電線は、複数に束ねられていることを特徴とする請求項１〜４のいずれか１項に記載の画像形成装置。
【発明の詳細な説明】
【技術分野】
【０００１】
本発明は、記録媒体へ画像を形成する画像形成装置に関する。
【背景技術】
【０００２】
記録媒体へ画像を形成する画像形成装置としては、電気部品を収容する電装部のメンテナンスが容易となるように、電装部を装置本体に対して開閉可能に支持した画像形成装置が公知である（例えば、特許文献１）。
【０００３】
特許文献１の画像形成装置では、電装部が、装置本体上部の支軸を中心に、上下方向へ回動して、開閉できるように構成されている。また、棒状の保持部材の一端部を装置本体に取り付けると共に、電装部の回動端部に設けたフックに、保持部材の他端部を係合させて、電装部の開状態を保持するように構成されている。
【０００４】
また、記録媒体へ画像を形成する画像形成装置としては、ジャム処理やメンテナンスが容易となるように、開閉扉を装置本体に対して回動可能に支持して、装置本体内部を開閉できるようにした画像形成装置が公知である（例えば、特許文献２）。
【０００５】
特許文献２の画像形成装置では、開閉扉を開く方向へ付勢するねじりコイルばねを設け、開閉扉の開状態を保持するように構成されている。
【０００６】
また、開閉扉の開状態を保持する構成の他の例として、装置本体と開閉扉との結合部に永久磁石を設け、開閉扉の基端部を吸着して、開閉扉の開状態を保持する構成が開示されている。
【特許文献１】特開２００１−３３４７２５号公報
【特許文献２】特開平９−２７８１９７号公報
【発明の開示】
【発明が解決しようとする課題】
【０００７】
しかしながら、特許文献１、２の画像形成装置では、電装部や開閉扉の開状態を保持するために、保持部材、ねじりコイルばね、永久磁石を用いているため、部品点数が増え、製造コストが高くなる。
【０００８】
本発明は、上記事実を考慮し、開閉可能な電装部を備えた画像形成装置において、部品点数を低減することを目的とする。
【課題を解決するための手段】
【０００９】
本発明の請求項１に係る画像形成装置は、装置本体に対して開閉可能に支持され、電気部品を収容する電装部と、前記電装部から前記装置本体へ配線された電線と、を備えた画像形成装置において、前記電装部の開状態は、前記電線の形状復元力によって保持されることを特徴とする。
【００１０】
この構成によれば、電装部から装置本体へ配線された電線の形状復元力によって、電装部の開状態を保持する。これにより、電装部の開状態を保持するために、別途、保持部材を設ける必要がなく、構成部品の部品点数を低減できる。
【００１１】
本発明の請求項１に係る電線は、本発明の請求項２に記載のように、装置本体から前記電装部に向かって螺旋状に捻られ、伸長して前記電装部を開く方向へ押圧するように構成してもよい。
【００１２】
本発明の請求項１に係る電線は、本発明の請求項３に記載のように、螺旋状に捻られ、捻じり戻りで電装部を開く方向へ付勢するように構成してもよい。
【００１３】
本発明の請求項１に係る電線は、本発明の請求項４に記載のように、螺旋状に捻られ、電装部の開状態で装置本体と電装部との間に挟持されるように構成してもよい。
【００１４】
本発明の請求項５に係る画像形成装置は、請求項１〜４のいずれか１項の構成において、電線が、複数に束ねられていることを特徴とする。
【００１５】
この構成によれば、電線を複数に束ねて、電装部の開状態を保持するので、電装部の開状態を保持する保持力が上がる。
【発明の効果】
【００１６】
本発明は、上記構成としたので、開閉可能な電装部を備えた画像形成装置において、部品点数を低減することができる。
【発明を実施するための最良の形態】
【００１７】
以下に、本発明の画像形成装置に係る実施形態の一例を図面に基づき説明する。
【００１８】
〔第１実施形態〕
まず、画像形成装置の全体構成について説明する。図１に示すように、本実施形態に係
る画像形成装置１０は、装置本体１２を備え、この装置本体１２は、搬送される用紙（記録媒体）Ｐへ画像を形成する画像形成部１１を備えている。
【００１９】
画像形成部１１は、一方向（図１において反時計方向）へ回転する感光体ドラム１４を備えている。感光体ドラム１４の下方には、感光体ドラム１４の表面を一様に帯電する帯電ロール１８が配設されている。
【００２０】
この帯電ロール１８より感光体ドラム１４の回転方向下流側であって、感光体ドラム１４の下方には、感光体ドラム１４の表面へ射出されるレーザ光Ｂで走査露光することにより、感光体ドラム１４上に静電潜像を形成する光走査装置１６が配設されている。
【００２１】
この光走査装置１６より感光体ドラム１４の回転方向下流側であって、感光体ドラム１４の水平方向には、感光体ドラム１４上に形成された静電潜像を現像してトナー画像を形成するロータリー現像器２０が配置されている。ロータリー現像器２０は、イエロー（Ｙｅｌｌｏｗ）、マゼンタ（Ｍａｇｅｎｔａ）、シアン（Ｃｙａｎ）及び黒（Ｂｌａｃｋ）の４色のトナーを収容するトナーカートリッジ２２を備え、回転支軸２４を中心として一方向（図１において時計方向）へ回転駆動するようになっている。
【００２２】
４色のトナーカートリッジ２２は、回転支軸２４を中心に９０°間隔で配置されると共に、それぞれ現像ロール２６を備えている。この現像ロール２６が、感光体ドラム１４へトナーを供給する構成となっている。
【００２３】
このロータリー現像器２０より感光体ドラム１４の回転方向下流側であって、感光体ドラム１４の斜め上方向には、感光体ドラム１４上に形成されたトナー画像が１次転写位置で１次転写され、そのトナー画像を２次転写位置まで搬送する中間転写ベルト２８が配設されている。
【００２４】
中間転写ベルト２８は、１次転写ロール３０、２次転写バックアップロール３２、及び複数（例えば、３つ）の張架ロール３４で張架され、一方向（図１において時計方向）へ回転駆動するようになっている。
【００２５】
一方、装置本体１２の下部には、用紙Ｐが束状に積層されて収容される給紙カセット（記録媒体収容部）３６が配置されている。この給紙カセット３６から排出トレイ４２へ用紙Ｐを搬送する搬送部３９が、装置本体１２に設けられている。
【００２６】
搬送部３９は、給紙カセット３６の先端側（図１において左端側）の上部に、用紙Ｐ上面の先端側に圧接して給紙カセット３６内から用紙Ｐを取り出すピックアップロール３８を備えている。
【００２７】
また、給紙カセット３６の先端部から延出し、緩やかに湾曲して上方に延びる搬送路４０が設けられている。この搬送路４０に沿って、用紙搬送方向の上流側から順に、複数（例えば、２つ）の搬送ロール対４４、２次転写ロール２７と中間転写ベルト２８が巻き掛けられた２次転写バックアップロール３２のロール対、加熱ロールと加圧ロールを有する定着器４６、排出ロール対４８が配置されている。
【００２８】
次に、本実施形態に係る画像形成装置の画像形成動作について説明する。
【００２９】
まず、本実施形態に係る画像形成装置では、帯電ロール１８により、感光体ドラム１４の表面が一様に帯電する。帯電した感光体ドラム１４の表面には、光走査装置１６が走査露光することにより、静電潜像が形成される。感光体ドラム１４の表面に形成された静電潜像は、ロータリー現像器２０の現像ロール２６によって、それぞれの色のトナーで現像され、感光体ドラム１４の表面にトナー画像が形成される。
【００３０】
感光体ドラム１４上のトナー画像は、１次転写ロール３０によって、中間転写ベルト２８に１次転写位置で１次転写され、この１次転写されたトナー画像は、中間転写ベルト２８によって、２次転写ロール２７と２次転写バックアップロール３２との間（２次転写位置）へ搬送する。
【００３１】
一方、給紙カセット３６から取り出された用紙Ｐは、複数の搬送ロール対４４によって搬送路４０を上方へ搬送され、所定のタイミングで２次転写ロール２７と中間転写ベルト２８の間（２次転写位置）に送り込まれ、中間転写ベルト２８からトナー画像が転写される。このトナー画像が転写された用紙Ｐは、定着器４６へ搬送され、転写されたトナー画像が加熱ロールと加圧ロールによって、熱圧着されて、排出ロール対４８により排出トレイ４２へ排出される。以上のように、一連の画像形成動作が行われる。
【００３２】
ここで、電気部品が収容される電装部について説明する。
【００３３】
本実施形態に係る電装部５０は、画像形成装置１０の背面側（図１において右端部）に配置され、装置本体１２に対して開閉可能に、装置本体１２に支持されている（図２（Ａ）、（Ｂ）参照）。
【００３４】
すなわち、図２（Ａ）、（Ｂ）に示すように、電装部５０の基端部に設けられ上下方向に延出する支軸５２を介して、電装部５０は装置本体１２に支持されており、支軸５２を回動中心に、横方向へ回動して、装置本体１２の内部及び、電装部５０の装置本体１２と対向する面５０Ａを開閉する構成となっている。
【００３５】
また、この電装部５０は、画像形成装置１０の背面側（図１において右端部）の外装と一体に回動するように構成されている。なお、外装と別体となっていてもよい。
【００３６】
電装部５０に収容される電気部品としては、画像形成部１１及び搬送部３９へ電力を供給する電源、画像形成部１１の画像形成動作を制御する制御基板や、搬送部３９の駆動を制御する制御基板などがある。
【００３７】
この電装部５０に収容される電気部品には、装置本体１２と対向する面５０Ａ側からアクセスできるようになっており、装置本体１２と対向する面５０Ａ側からメンテナンスや部品交換が行われるように構成されている。
【００３８】
また、図２（Ａ）、（Ｂ）に示すように、電装部５０に収容される電気部品から、装置本体１２の搬送部３９及び画像形成部１１へ、複数が束ねられた電線５４が配線されている。この電線５４は、電装部５０の装置本体１２と対向する面５０Ａ側に取り付けられた接続部５６を介して、電装部５０に接続されている。電線５４としては、制御基板に接続される信号線、電源に接続される電源ハーネスなどが含まれる。
【００３９】
この電線５４は、装置本体１２から電装部５０に向かって、螺旋状に捻られている（巻き回されている）。また、螺旋状にされた電線５４と電線５４との間に、所定間隔の隙間が形成されている。これにより、電線５４は、圧縮ばね（押しばね）として作用し、電線５４の形状復元力により、電線５４が伸長して、電装部５０を開く方向に押圧し、電装部５０の開状態を保持するように構成されている。
【００４０】
なお、電装部５０の自由端部には、係合部（図示省略）が設けられ、この係合部が装置本体１２と係合することにより、電装部５０の閉状態が保持される。
【００４１】
また、螺旋状にされた電線５４の装置本体側の端部を、装置本体のフレームなどに当接させて、電装部５０を押圧するようにしてもよい。
【００４２】
また、電装部５０を開く方向へ押圧する電線の形状としては、図３に示すように、蛇行状に形成された電線４９を用いてもよい。
【００４３】
次に、上記の第１実施形態について作用を説明する。
【００４４】
装置本体１２に設けられた構成部品のメンテナンスや交換などにより、装置本体の内部にアクセスしたい場合や、電装部５０の電気部品のメンテナンスや交換などにより、電装部５０の装置本体１２と対向する面５０Ａ側にアクセスしたい場合には、電装部５０を開く方向へ回動させて、装置本体の内部及び電装部５０の装置本体１２と対向する面５０Ａ側を開放する。
【００４５】
電装部５０を開放した状態において、電線５４は、電装部５０を開く方向に押圧し、電装部５０の開状態を保持する。このように、第１実施形態では、電装部５０から装置本体１２へ配線された電線５４によって、電装部５０の開状態を保持するので、電装部５０の開状態を保持するために、別途、保持部材を設ける必要がなく、構成部品の部品点数を低減できる。
【００４６】
〔第２実施形態〕
次に、本発明の第２実施形態について説明する。なお、第１実施形態と同一の部分には同一の符号を付し、説明を省略する。また、画像形成装置の全体構成は、第１実施形態と同一であるので、説明を省略する。
【００４７】
第２実施形態では、図４（Ａ）、（Ｂ）に示すように、電線５８が、電装部５０の基端側にある側面５０Ｂに取り付けられた接続部５６を介して、電装部５０に接続されている。
【００４８】
この電線５８は、縦方向（上下方向）に沿って、螺旋状に捻られている（巻き回されている）。これにより、電線５８は、ねじりコイルばねとして作用して、電装部５０の開状態を保持するように構成されている。すなわち、電線５８の形状復元力により、電線５８は、捻じり戻り、電線５８の両端部が外側に開くように力が作用して、電装部５０を開く方向へ付勢するようになっている。
【００４９】
このように、第２実施形態では、第１実施形態と同様に、電装部５０から装置本体１２へ配線された電線５８によって、電装部５０の開状態を保持するので、電装部５０の開状態を保持するために、別途、保持部材を設ける必要がなく、構成部品の部品点数を低減できる。
【００５０】
〔第３実施形態〕
次に、本発明の第３実施形態について説明する。なお、第１実施形態と同一の部分には同一の符号を付し、説明を省略する。また、画像形成装置の全体構成は、第１実施形態と同一であるので、説明を省略する。
【００５１】
第３実施形態では、図５（Ａ）、（Ｂ）に示すように、電線６０が、電装部５０の基端側にある側面５０Ｂに取り付けられた接続部５６を介して、電装部５０に接続されている。
【００５２】
この電線６０は、縦方向（上下方向）に沿って、螺旋状に捻られている（巻き回されている）。この電線６０が、電装部５０の開状態で、装置本体１２のフレーム１２Ａと、電装部５０の装置本体１２と対向する面５０Ａと、の間に挟持されるように構成されている。これにより、螺旋状にされた電線６０の外周面が、装置本体１２のフレーム１２Ａと、電装部５０の装置本体１２と対向する面５０Ａとに接触して電装部５０を開く方向へ押圧し、電装部５０の開状態を保持するようになっている。
【００５３】
このように、第３実施形態では、第１実施形態と同様に、電装部５０から装置本体１２へ配線された電線６０によって、電装部５０の開状態を保持するので、電装部５０の開状態を保持するために、別途、保持部材を設ける必要がなく、構成部品の部品点数を低減できる。
【００５４】
なお、上記の第１〜第３実施形態では、電線を複数に束ねて、電装部の開状態を保持するように構成されていたが、本発明の電線としては、単一の電線であってもよく、単一の電線によって、電装部の開状態は保持するように構成してもよい。
【００５５】
また、上記の第１〜第３実施形態に係る電装部は、横方向に回動して開閉される横開きとなっていたが、本発明の電装部としては、上下方向に回動して開閉される縦開きの構成であってもよい。本発明は、上記の実施の形態に限るものではなく、本発明の要旨を逸脱しない限りにおいて、種々の変形、変更、改良が可能である。
【図面の簡単な説明】
【００５６】
【図１】図１は、本発明の第１実施形態に係る画像形成装置の全体構成を示す概略図である。
【図２】図２は、第１実施形態に係る画像形成装置おいて、装置本体に開閉可能に支持された電装部と、その電装部に接続された電線とを示す図である。（Ａ）は斜視図であり、（Ｂ）は、上方から見た図である。
【図３】図３は、第１実施形態に係る電線の変形例を示す図である。
【図４】図４は、第２実施形態に係る画像形成装置おいて、装置本体に開閉可能に支持された電装部と、その電装部に接続された電線とを示す図である。（Ａ）は斜視図であり、（Ｂ）は、上方から見た図である。
【図５】図５は、第３実施形態に係る画像形成装置おいて、装置本体に開閉可能に支持された電装部と、その電装部に接続された電線とを示す図である。（Ａ）は斜視図であり、（Ｂ）は、上方から見た図である。
【符号の説明】
【００５７】
１０  画像形成装置
１２  装置本体
４９  電線
５０  電装部
５４  電線
５８  電線
６０  電線
【図１】
2007114273.tif 000003
【図２】
2007114273.tif 000004
【図３】
2007114273.tif 000005
【図４】
2007114273.tif 000006
【図５】
2007114273.tif 000007